(57)【特許請求の範囲】
【請求項１】
浴室の天井材と壁材との境に設けられるとともに、前記天井材に取り付けられる取付部材と該取付部材とは別体で該取付部材に対し回動自在に連結されて露を受ける露受け部材とを有する浴室天井の露受け装置において、
前記露受け部材は、前記取付部材に回動自在に連結させられる露受け部材側連結部と、該露受け部材側連結部から下方に延出する基板部と、該基板部から浴室内方に延出して露を受ける露受け板部と、前記基板部から前記壁材側に延出して該壁材との隙間を封止する封止板部とを有することを特徴とする浴室天井の露受け装置。
【請求項２】
前記露受け部材の前記露受け部材側連結部を回動自在に連結させる前記取付部材の取付部材側連結部が、該取付部材の下端部に設けられていることを特徴とする請求項１記載の浴室天井の露受け装置。
【発明の詳細な説明】
【０００１】
【発明の属する技術分野】
本発明は、浴室の天井材と壁材との境に設けられて露（結露水）を受ける浴室天井の露受け装置に関する。
【０００２】
【従来の技術】
浴室の天井材と壁材との境に設けられて露を受ける浴室天井の露受け装置として、例えば特開平１０−８６３０号公報に開示されたものがある。図３および図４に示すように、この露受け装置５１は、天井材５２に取り付けられる取付部材５３と該取付部材５３とは別体で該取付部材５３に対し回動自在に連結されて露を受ける露受け部材５４とを有するもので、このように別体の取付部材５３と露受け部材５４とを連結させることで、傾斜を有する浴室天井にも自在に対応させて施工可能であり、かつ耐久性にも優れたものとなっている。
【０００３】
【発明が解決しようとする課題】
ところで、上記した露受け装置５１は、その露受け部材５４が、取付部材５３に回動自在に連結させられる露受け部材側連結部５５と、該露受け部材側連結部５５から下方に延出する基板部５６と、該基板部５６から浴室内方に延出して露を受ける露受け板部５７とを有しており、基板部５６において壁材５８に接合されるようになっている。このため、図４に示すように、天井材５２が水平配置される場合には、取付部材５３の下地材５９への接合面積を確保できるものの、図３に示すように、天井材５２が傾斜配置される場合には、取付部材５３が壁材５８側に寄っているため、下地材５９への接合面積が狭くなり、安定した接合ができないという問題があった。
【０００４】
したがって、本発明は、天井材が傾斜配置される場合においても、取付部材の下地材への接合面積を確保可能で、安定した接合状態を得ることができる浴室天井の露受け装置の提供を目的としている。
【０００５】
【課題を解決するための手段】
上記目的を達成するため、本発明の請求項１記載の浴室天井の露受け装置は、浴室の天井材と壁材との境に設けられるとともに、前記天井材に取り付けられる取付部材と該取付部材とは別体で該取付部材に対し回動自在に連結されて露を受ける露受け部材とを有するものであって、前記露受け部材は、前記取付部材に回動自在に連結させられる露受け部材側連結部と、該露受け部材側連結部から下方に延出する基板部と、該基板部から浴室内方に延出して露を受ける露受け板部と、前記基板部から前記壁材側に延出して該壁材との隙間を封止する封止板部とを有することを特徴としている。
【０００６】
このように、露受け部材には、取付部材に回動自在に連結させられる露受け部材側連結部より下方に延出する基板部から壁材側に延出して該壁材との隙間を封止する封止板部が設けられているため、露受け部材側連結部を浴室内方に配置することになる。よって、該露受け部材側連結部に連結させられる取付部材の位置を、より浴室内方に配置することができる。
【０００７】
本発明の請求項２記載の浴室天井の露受け装置は、請求項１記載のものに関して、前記露受け部材の前記露受け部材側連結部を回動自在に連結させる前記取付部材の取付部材側連結部が、該取付部材の下端部に設けられていることを特徴としている。
【０００８】
このように、取付部材の取付部材側連結部が、該取付部材の下端部に設けられているため、該取付部材あるいは天井材との干渉を避けるために長さを長くする必要があった露受け部材の露受け部材側連結部から下方に延出する基板部の長さを短くすることができる。
【０００９】
【発明の実施の形態】
本発明の一の実施の形態の浴室天井の露受け装置を図１および図２を参照して以下に説明する。
この実施の形態の浴室天井の露受け装置１１は、浴室の天井を構成する浴室パネル（天井材）１２と壁材１３との境に設けられる例えばアルミニウム製のもので、浴室パネル１２および天井下地材１４に取り付けられる取付部材１６と、該取付部材１６とは別体で該取付部材１６に対し回動自在に連結されて露を受ける露受け部材１７とを有している。
【００１０】
取付部材１６は、一方向（図１および図２における紙面直交方向）に長い第１板部１９と、該第１板部１９の巾方向における一の端縁部から垂直に延出する第２板部２０と、該第２板部２０の第１板部１９に対し反対側から第１板部１９と平行に延出する第３板部２１とを有し、断面略コ字型に形成されている。さらに取付部材１６は、第２板部２０を、第３板部２１よりも若干突出させ、この突出先端部に、中心軸線を第１〜第３板部１９〜２１の長さ方向に沿わせた断面円弧状の連結雌部（取付部材側連結部）２２を有している。ここで、連結雌部２２は取付部材１６の下端部に設けられるようになる。なおこの連結雌部２２は、露受け部材１７の後述する連結雄部２３を回動自在に連結させるものである。
【００１１】
露受け部材１７は、取付部材１６と同じ長さをなし、かつ中心軸線をその長さ方向に沿わせた断面円弧状の連結雄部（露受け部材側連結部）２３と、連結雄部２３から一側に延出する基板部２４と、基板部２４の一側から垂直に延出する露受け板部２５と、露受け板部２５の先端から上方に屈折延出する先端板部２６と、基板部２４から露受け板部２５に対し反対側に垂直に延出する封止板部２７と、封止板部２７の先端から上下両方向で基板部２４と平行に延出する接合板部２８とを有している。ここで、露受け板部２５と封止板部２７とは同一平面に配置されている。
【００１２】
そして、この露受け部材１７は、連結雄部２３が取付部材１６の連結雌部２２に嵌合することによって、取付部材１６に対し回動自在に連結させられることになる。
【００１３】
このような構成の浴室天井の露受け装置１１は、取付部材１６が、図１および図２に示すように、第１板部１９を上部に配置した状態で天井下地材１４の下部にビス打ち等で取り付けられることになり、この第１板部１９とその下側に平行な第３板部２１との間に、浴室パネル１２の端部を嵌合させて該浴室パネル１２を保持するようになっている。
【００１４】
ここで、取付部材１６は、天井下地材１４の下部に傾斜状態で取り付けられて浴室パネル１２を傾斜状態で保持したり（図１参照）、天井下地材１４の下部に水平状態で取り付けられて浴室パネル１２を水平状態で保持したり（図２参照）するようになっている。
【００１５】
また、これに合わせて、露受け部材１７の取付部材１６への水平軸回りの回動角度および取付部材１６の天井下地材１４への取付位置が調整されることになり、このようにして取り付けられると、露受け部材１７は、基板部２４を連結雄部２３から鉛直下方に延出させ、露受け板部２５を基板部２４から浴室内方に水平に延出させて露を受けさせ、先端板部２６を露受け板部２５の先端から鉛直上方に延出させて露の零れを防止させ、封止板部２７を基板部２４から壁材１３側に水平に延出させて壁材１３との隙間を封止させ、接合板部２８を封止板部２７の先端から鉛直上下に延出させて壁材１３に接合させることになる。
【００１６】
以上の構成の、この実施の形態の浴室天井の露受け装置１１によれば、露受け部材１７には、取付部材１６に回動自在に連結させられる連結雄部２３より下方に延出する基板部２４から壁材１３側に延出して該壁材１３との隙間を封止する封止板部２７が設けられているため、図１に示すように、連結雄部２３を浴室内方に配置することになる。よって、該連結雄部２３に連結雌部２２において連結させられる取付部材１６の位置を、図３に示す従来のものよりも浴室内方に配置することができる。
したがって、浴室パネル１２が傾斜配置される場合においても、取付部材１６を天井下地材１４へ接合させる際の接合面積を確保でき、安定した接合状態を得ることができる。
【００１７】
しかも、取付部材１６の連結雌部２２が、該取付部材１６の下端部に設けられているため、該取付部材１６あるいは浴室パネル１２との干渉を避けるために長さを長くする必要があった、露受け部材１７の連結雄部２３から下方に延出する基板部２４の長さを短くすることができる。
したがって、重量増を最小限に抑えることができる。
【００１８】
ここで、取付部材１６の第２板部２０の浴室パネル１２側に発泡ポリエチレン等を貼付することにより、浴室パネル１２と取付部材１６との間に該発泡ポリエチレン等を介在させるようにしてシール性を向上させることも可能である。
【００１９】
【発明の効果】
以上詳述したように、請求項１記載の浴室天井の露受け装置によれば、露受け部材に、取付部材に回動自在に連結させられる露受け部材側連結部より下方に延出する基板部から壁材側に延出して該壁材との隙間を封止する封止板部が設けられているため、露受け部材側連結部を浴室内方に配置することになる。よって、該露受け部材側連結部に連結させられる取付部材の位置を、より浴室内方に配置することができる。
したがって、天井材が傾斜配置される場合においても、取付部材を下地材へ接合させる際の接合面積を確保でき、安定した接合状態を得ることができる。
【００２０】
また、本発明の請求項２記載の浴室天井の露受け装置によれば、取付部材の取付部材側連結部が、該取付部材の下端部に設けられているため、該取付部材あるいは天井材との干渉を避けるために長さを長くする必要があった露受け部材の露受け部材側連結部から下方に延出する基板部の長さを短くすることができる。
したがって、重量増を最小限に抑えることができる。
【図面の簡単な説明】
【図１】本発明の一の実施の形態の浴室天井の露受け装置を示す側断面図であって取付部材を傾斜させた状態を示すもの。
【図２】本発明の一の実施の形態の浴室天井の露受け装置を示す側断面図であって取付部材を水平配置させた状態を示すもの。
【図３】従来の浴室天井の露受け装置を示す側断面図であって取付部材を傾斜させた状態を示すもの。
【図４】従来の浴室天井の露受け装置を示す側断面図であって取付部材を水平配置させた状態を示すもの。
【符号の説明】
１１  浴室天井の露受け装置
１２  浴室パネル（天井材）
１３  壁材
１６  取付部材
１７  露受け部材
２２  連結雌部（取付部材側連結部  ）
２３  連結雄部（露受け部材側連結部）
２４  基板部
２５  露受け板部
２７  封止板部
【図１】
0003594852.tif 000002
【図２】
0003594852.tif 000003
【図３】
0003594852.tif 000004
【図４】
0003594852.tif 000005